(57)【要約】【課題】安価に遠隔監視を実現できる携帯可能なカメラ付携帯無線通信装置を用いた遠隔監視方法を提供することを目的とする。【解決手段】カメラ付携帯電話機ＭＳ１は、携帯電話機ＭＳ２から送信された信号の中から発信元の電話番号を抽出し、当該電話番号が登録されているか否かを判別する（Ｓ５）。登録されていれば、カメラ付携帯電話機ＭＳ１は、カメラ部で画像撮影を実行し（Ｓ６）、その画像を保存する（Ｓ７）。また、カメラ付携帯電話機ＭＳ１は、携帯電話機ＭＳ２から送信された信号の中からＤＴＭＦ音情報を抽出し、当該ＤＴＭＦ音情報が登録されているか否かを判別する（Ｓ８）。登録されていれば、カメラ付携帯電話機ＭＳ１は、保存されている画像を携帯電話機ＭＳ２に送信する（Ｓ１０、Ｓ１１）。携帯電話機ＭＳ２は、受信された画像を表示する（Ｓ１２）。【選択図】　　　　　図４
2004040402.tif 000002
【特許請求の範囲】
【請求項１】
携帯可能なカメラ付無線通信装置が無線回線を介して無線通信装置からの撮影要求情報を含む信号を受信するステップと、
上記カメラ付無線通信装置が受信信号に含まれる上記撮影要求情報を検出したことに応答してカメラによる撮影を実行するステップと、
上記カメラ付無線通信装置が撮影された画像データを保存するステップとを備えたことを特徴とする携帯可能なカメラ付無線通信装置を用いた遠隔監視方法。
【請求項２】
上記カメラにより撮影された画像データを無線回線を介して上記無線通信装置に送信するステップと、
この無線通信装置において撮影画像を表示するステップとを備えたことを特徴とする請求項１に記載の携帯可能なカメラ付無線通信装置を用いた遠隔監視方法。
【請求項３】
上記カメラ付無線通信装置が無線回線を介して画像送信要求情報を含む信号を受信するステップと、
上記カメラ付無線通信装置が受信信号に含まれる上記画像送信要求情報を検出したことに応答して上記カメラにより撮影された画像を送信するステップとを備えたことを特徴とする請求項２に記載の携帯可能なカメラ付無線通信装置を用いた遠隔監視方法。
【請求項４】
上記カメラにより撮影された画像は、撮影されるたびに自動的に送信される請求項２に記載の携帯可能なカメラ付無線通信装置を用いた遠隔監視方法。
【請求項５】
上記撮影要求情報は、上記カメラ付無線通信装置に予め登録された電話番号、ＤＴＭＦ音、音声情報、発信メールアドレス又はメールの文字列からなることを特徴とする請求項１から４のいずれかに記載の携帯可能なカメラ付無線通信装置を用いた遠隔監視方法。
【請求項６】
上記画像送信要求情報は、上記撮影要求情報と異なり、かつ、上記カメラ付無線通信装置に予め登録された電話番号、ＤＴＭＦ音、音声情報、発信メールアドレス又はメールの文字列からなることを特徴とする請求項３に記載の携帯可能なカメラ付無線通信装置を用いた遠隔監視方法。
【請求項７】
携帯電話機がカメラ付携帯電話機に対しカメラによる撮影を要求するステップと、
上記携帯電話機がカメラ付携帯電話機のカメラで撮影された画像を受信するステップと、
当該携帯電話機の表示部で撮像された画像を表示するステップとを備えたことを特徴とする携帯可能なカメラ付無線通信装置を用いた遠隔監視方法。
【請求項８】
無線回線を介して受信される信号の中から撮影要求情報を検出する撮影要求情報検出手段と、
この撮影要求情報検出手段により上記撮影要求情報を検出したことに応答して、上記カメラによる撮影を実行するカメラ制御手段と、
上記カメラにより撮影された画像を保存する画像保存手段とを備えたことを特徴とする携帯可能なカメラ付無線通信装置。
【請求項９】
無線回線を介して受信される信号の中から画像送信要求情報を検出する画像送信要求情報検出手段と、
この画像送信要求情報検出手段により上記画像送信要求情報を検出したことに応答して、上記画像保存手段に保存されている画像に対応する画像信号を無線回線に送出する画像送信手段とを備えたことを特徴とする請求項８に記載の携帯可能なカメラ付無線通信装置。
【請求項１０】
上記カメラにより撮影された画像が保存されたことに応答して、当該保存された画像を読み出し、当該画像に対応する画像信号を無線回線に送出する画像送信手段とを備えたことを特徴とする請求項８に記載の携帯可能なカメラ付無線通信装置。
【請求項１１】
カメラ付無線通信装置に対して撮影要求情報を含む信号を無線回線を介して送信する撮影要求情報送信手段と、
上記カメラ付無線通信装置から無線回線を介して送信されてきた画像情報を表示する表示手段とを備えたことを特徴とする携帯可能な無線通信装置。
【請求項１２】
上記カメラ付無線通信装置に対して画像送信要求情報を含む信号を無線回線を介して送信する画像送信要求情報送信手段とを備えたことを特徴とする請求項１１に記載の携帯可能な無線通信装置。
【発明の詳細な説明】
【０００１】
【発明の属する技術分野】
この発明は、携帯可能なカメラ付無線通信装置を用いた遠隔監視方法及び携帯可能なカメラ付無線通信装置並びに携帯可能な無線通信装置に関するものである。
【０００２】
【従来の技術】
従来から、住宅、ビル或いは店舗などの監視対象をカメラを使って監視するようにした遠隔監視システムが知られている。この種の遠隔監視システムは、一般に、監視対象を撮影するカメラを備え、このカメラで撮影された画像を通信回線を介してモニタ装置に伝送し、モニタ装置にて上記画像を表示することにより、遠隔監視を実現している。
【０００３】
【発明が解決しようとする課題】
しかしながら、上記のような遠隔監視システムでは、上記カメラは、通常、建物に固定されている。したがって、撮影対象を変更する場合にはカメラを取り外した後、新たに設置し直す必要があり、非常に面倒であった。たとえば自宅に監視用カメラを取り付けている場合、別の部屋を撮影したい場合などには、監視用カメラをわざわざ取り外して別の部屋に設置し直す必要がある。また、モニタ装置も通常特定の場所に設置されており、監視者が容易に移動することができなかった。以上のことから、従来では、監視対象をモニタ装置を使って常時監視する専門の第三者に委託するのが一般的であり、コストが高いという問題があった。
【０００４】
一方、近年では、携帯可能なカメラ付無線通信装置が普及しつつある。たとえば実用新案登録第３０１１９８５号公報には、ＣＣＤカメラを備えた携帯型電話機が開示されている。本願発明者は、このようなカメラ付無線通信装置を利用することにより、安価に遠隔監視を実現できるのではと考えた。
【０００５】
この発明は上述の技術的背景に鑑みてなされたものであり、安価に遠隔監視を実現できる携帯可能なカメラ付携帯無線通信装置を用いた遠隔監視方法及び携帯可能なカメラ付無線通信装置並びに携帯可能な無線通信装置を提供することを目的とする。
【０００６】
【課題を解決するための手段】
上記目的を達成するための本発明は、携帯可能なカメラ付無線通信装置に対して無線通信装置から無線回線を介して撮影要求情報を含む信号を送信し、上記カメラ付無線通信装置において受信信号から上記撮影要求情報を検出したことに応答して上記カメラによる撮影を実行し、撮影された画像を保存するようにした携帯可能なカメラ付無線通信装置を用いた遠隔監視方法、この遠隔監視方法に好適なカメラ付無線通信装置、及び、無線通信装置である。このような遠隔監視方法において、さらに、上記カメラにより撮影された画像を無線回線を介して無線通信装置に送信し、この無線通信装置において上記画像を表示するようにしてもよい。
【０００７】
請求項１に記載の本発明による携帯可能なカメラ付無線通信装置を用いた遠隔監視方法は、携帯可能なカメラ付無線通信装置が無線回線を介して無線通信装置からの撮影要求情報を含む信号を受信するステップと、上記カメラ付無線通信装置が受信信号に含まれる上記撮影要求情報を検出したことに応答してカメラによる撮影を実行するステップと、上記カメラ付無線通信装置が撮影された画像データを保存するステップとを備えて構成される。
【０００８】
請求項２に記載の本発明による携帯可能なカメラ付無線通信装置を用いた遠隔監視方法は、上記カメラにより撮影された画像データを無線回線を介して上記無線通信装置に送信するステップと、この無線通信装置において撮影画像を表示するステップとを備えて構成される。
【０００９】
請求項３に記載の本発明による携帯可能なカメラ付無線通信装置を用いた遠隔監視方法は、上記カメラ付無線通信装置が無線回線を介して画像送信要求情報を含む信号を受信するステップと、上記カメラ付無線通信装置が受信信号に含まれる上記画像送信要求情報を検出したことに応答して上記カメラにより撮影された画像を送信するステップとを備えて構成される。
【００１０】
請求項４に記載の本発明による携帯可能なカメラ付無線通信装置を用いた遠隔監視方法は、上記カメラにより撮影された画像が、撮影されるたびに自動的に送信されるように構成される。
【００１１】
請求項５に記載の本発明による携帯可能なカメラ付無線通信装置を用いた遠隔監視方法は、上記撮影要求情報が、上記カメラ付無線通信装置に予め登録された電話番号、ＤＴＭＦ音、音声情報、発信メールアドレス又はメールの文字列からなる。
【００１２】
請求項６に記載の本発明による携帯可能なカメラ付無線通信装置を用いた遠隔監視方法は、上記画像送信要求情報が、上記撮影要求情報と異なり、かつ、上記カメラ付無線通信装置に予め登録された電話番号、ＤＴＭＦ音、音声情報、発信メールアドレス又はメールの文字列からなる。
【００１３】
請求項７に記載の本発明による携帯可能なカメラ付無線通信装置を用いた遠隔監視方法は、携帯電話機がカメラ付携帯電話機に対しカメラによる撮影を要求するステップと、上記携帯電話機がカメラ付携帯電話機のカメラで撮影された画像を受信するステップと、当該携帯電話機の表示部で撮影された画像を表示するステップとを備えて構成される。
【００１４】
請求項８に記載の本発明による携帯可能なカメラ付無線通信装置は、無線回線を介して受信される信号の中から撮影要求情報を検出する撮影要求情報検出手段と、この撮影要求情報検出手段により上記撮影要求情報を検出したことに応答して、上記カメラによる撮影を実行するカメラ制御手段と、上記カメラにより撮影された画像を保存する画像保存手段とを備えて構成される。
【００１５】
請求項９に記載の本発明による携帯可能なカメラ付無線通信装置は、無線回線を介して受信される信号の中から画像送信要求情報を検出する画像送信要求情報検出手段と、この画像送信要求情報検出手段により上記画像送信要求情報を検出したことに応答して、上記画像保存手段に保存されている画像に対応する画像信号を無線回線に送出する画像送信手段とを備えて構成される。
【００１６】
請求項１０に記載の本発明による携帯可能なカメラ付無線通信装置は、上記カメラにより撮影された画像が保存されたことに応答して、当該保存された画像を読み出し、当該画像に対応する画像信号を無線回線に送出する画像送信手段とを備えて構成される。
【００１７】
請求項１１に記載の本発明による無線通信装置は、カメラ付無線通信装置に対して撮影要求情報を含む信号を無線回線を介して送信する撮影要求情報送信手段と、上記カメラ付無線通信装置から無線回線を介して送信されてきた画像情報を表示する表示手段とを備えて構成される。
【００１８】
請求項１２に記載の本発明による無線通信装置は、上記カメラ付無線通信装置に対して画像送信要求情報を含む信号を無線回線を介して送信する画像送信要求情報送信手段とを備えて構成される。
【００１９】
【発明の実施の形態】
以下では、この発明の実施の形態を、添付図面を参照して詳細に説明する。
【００２０】
実施の形態１．
図１は、この発明の実施の形態１に係る遠隔監視システムの全体構成を示す概略図である。この遠隔監視システムは、携帯可能なカメラ付無線通信装置であるカメラ付携帯電話機ＭＳ１を利用することにより遠隔監視を非常に安価に実現するものである。すなわち、この遠隔監視システムは、カメラ付携帯電話機ＭＳ１を含む既存の携帯通信システムを利用することにより、携帯通信システムのサービスエリア内で撮影された画像を携帯可能な無線通信装置である携帯電話機ＭＳ２で見ることができるようにしたものである。
【００２１】
より具体的には、この遠隔監視システムは、カメラ付携帯電話機ＭＳ１で撮影された画像を別の携帯電話機ＭＳ２に無線回線を介して伝送することにより、遠隔監視を実現する。換言すれば、この遠隔監視システムにおいては、携帯電話機ＭＳ２がカメラ付携帯電話機ＭＳ１に対して画像撮影を要求するとともに、その撮影された画像の送信を要求する。この要求に応じて、カメラ付携帯電話機ＭＳ１は撮影処理を実行するとともに、その撮影画像を携帯通信ネットワークＮＳ経由で携帯電話機ＭＳ２に伝送する。
【００２２】
この構成によれば、カメラ付携帯電話機ＭＳ１は携帯可能なので撮影対象を極めて容易に変更でき、また撮影画像を受信する携帯電話機ＭＳ２も携帯可能なのでユーザは撮影画像をどこにいても見ることができる。従って、監視を専門とする第三者に遠隔監視を依頼しなくて済むので、遠隔監視を非常に安価に実現できる。
【００２３】
この遠隔監視システムをさらに詳述すれば、この遠隔監視システムでは、携帯電話機ＭＳ２から所定の撮影要求情報を含む信号をカメラ付携帯電話機ＭＳ１に送信することにより、カメラ付携帯電話機ＭＳ１に対してカメラによる撮影を要求する。カメラ付携帯電話機ＭＳ１は受信された信号から撮影要求情報を検出することにより、カメラによる撮影を実行する。撮影された画像はカメラ付携帯電話機ＭＳ１のメモリに保存される。
【００２４】
ここで、撮影要求情報は、特定の電話番号、特定のＤＴＭＦ音、特定の音声情報、特定のメールアドレス、特定のメールサブジェクト又は特定のメール内の文字列などからなり、これらの２以上を組み合わせて撮影要求情報とすることもできる。カメラ付携帯電話機ＭＳ１は、この撮影要求情報を予め登録しておくことにより、上記撮影要求情報を受信信号の中から検出する。
【００２５】
また、この遠隔監視システムでは、携帯電話機ＭＳ２から所定の画像送信要求情報を含む信号をカメラ付携帯電話機ＭＳ１に送信することにより、カメラ付携帯電話機ＭＳ１に対して撮影された画像の送信を要求する。カメラ付携帯電話機ＭＳ１は、受信された信号から画像送信要求情報を検出することにより、撮影されメモリに保存されている画像を携帯電話機ＭＳ２に送信する。
【００２６】
ここで、画像送信要求情報は、上記撮影要求情報とは異なる、特定の電話番号、特定のＤＴＭＦ音、特定の音声情報、特定のメールアドレス、特定のメールサブジェクト又は特定のメール内の文字列などからなり、これらの２以上を組み合わせて画像送信要求情報とすることもできる。カメラ付携帯電話機ＭＳ１は、この画像送信要求情報を予め登録しておくことにより、上記画像送信要求情報を検出する。
【００２７】
このように、この遠隔監視システムでは、カメラ付携帯電話機ＭＳ１を手動で直接操作して画像を撮影し、またカメラ付携帯電話機ＭＳ１を手動で直接操作して上記撮影された画像を添付ファイルとする電子メールを作成し、さらにカメラ付携帯電話機ＭＳ１を手動で直接操作してこの作成された電子メールを携帯電話機ＭＳ２に送信する場合と異なり、離れた位置にある携帯電話機ＭＳ２からカメラ付携帯電話機ＭＳ１を遠隔で操作して撮影動作及び画像送信動作を実現している。
【００２８】
なお、携帯通信ネットワークＮＷは、カメラ付携帯電話機ＭＳ１及び携帯電話機ＭＳ２と無線通信する基地局ＢＳ、複数の基地局ＢＳを制御する基地局制御装置ＢＳＣ、及び、基地局制御装置ＢＳＣに接続される交換局ＭＳＣ、並びに、カメラ付携帯電話機ＭＳ１及び携帯電話機ＭＳ２などの地理的位置や加入者情報を登録するＨＬＲ（Ｈｏｍｅ　Ｌｏｃａｔｉｏｎ　Ｒｅｇｉｓｔｅｒ）などを備えたものである。
【００２９】
図２は、カメラ付携帯電話機ＭＳ１の外観構成を示す概念図であり、図２（ａ）は正面図、図２（ｂ）は裏面図である。なお、カメラ付携帯電話機ＭＳ１と通信するもう一方の携帯電話機ＭＳ２は、カメラ部を備えていない点を除き、カメラ付携帯電話機ＭＳ１と同じ構成を有するものとする。
【００３０】
カメラ付携帯電話機ＭＳ１は、電話機本体１及びこの電話機本体１の裏面下側に着脱自在に取り付けられたバッテリ２を備えている。カメラ付携帯電話機ＭＳ１は、その高さが数十ｃｍ、幅及び奥行きが数ｃｍ程度であり、全体の重量がたとえば１００ｇ程度であるため、片手で容易に持ち運ぶことができる構成となっている。
【００３１】
電話機本体１の正面側上部には、液晶表示素子などからなる表示部３が設けられている。表示部３の下側には操作キー部４が設けられている。操作キー部４は、電源キー、通話キー、終話キー、ファンクションキー及びテンキーを含む。操作キー部４の下側にはマイク部５が設けられるとともに、表示部３の上側にはスピーカ部６が設けられている。さらに、電話機本体１の上部にはアンテナ７が設けられている。
【００３２】
電話機本体１の裏面の中央よりも若干上側には、カメラ部８が設けられている。カメラ部８はＣＣＤカメラなどから構成されており、動画像又は静止画像を撮影できる。上述のようにカメラ付携帯電話機ＭＳ１は片手で容易に持ち運ぶことができる構成となっているため、カメラ部８を設置する場所及び向きを容易に変更することができる。すなわち、撮影対象を容易に変更できる。
【００３３】
図３は、カメラ付携帯電話機ＭＳ１の内部構成を示すブロック図である。このカメラ付携帯電話機ＭＳ１は、ＣＰＵなどからなる制御部１０を備えている。制御部１０は、このカメラ付携帯電話機ＭＳ１の制御中枢として機能するもので、カメラ付携帯電話機ＭＳ１の各部に対して種々の制御を行っているものである。
制御部１０には、無線通信部１１、要求情報検出部１２、メモリ部１３、カメラ部８、表示部３、操作キー部４、マイク部５及びスピーカ部６が電気的に接続されている。
【００３４】
無線通信部１１は、アンテナ７に接続されており、このアンテナ７を介して無線信号を携帯通信ネットワークＮＷ（図１参照）と送受信する。無線通信部１１は、受信信号を制御部１０に与えるとともに制御部１０から与えられる種々の情報を無線信号に重畳し携帯通信ネットワークＮＷに送信する。
【００３５】
要求情報検出部１２は、無線通信部１１に電気的に接続されており、無線通信部１１にて受信された信号が与えられるようになっている。要求情報検出部１２は、無線通信部１１から与えられた信号の中から撮影要求情報や画像送信要求情報などの要求情報を検出する要求情報検出処理を実行する。より具体的には、要求情報検出部１２は、要求情報登録部１２ａを備えている。
【００３６】
要求情報登録部１２ａには、要求情報が予め登録されている。この実施の形態１では、たとえば、要求情報登録部１２ａには、撮影要求情報として１又は複数の電話番号が登録されており、画像送信要求情報として１又は複数のＤＴＭＦ音が登録されている。要求情報検出部１２は、上記無線通信部１１から与えられる信号中に要求情報登録部１２ａに登録されている要求情報が含まれているか否かを判別することにより、要求情報を検出する。
【００３７】
要求情報の登録の仕方はたとえば次のとおりである。ユーザは、カメラ付携帯電話機ＭＳ１の操作キー部４（たとえばファンクションキー）を操作し、要求情報登録画面を表示部３に表示させる。この状態において、ユーザは、たとえばテンキーを操作することにより撮影要求の発信元となる携帯電話機ＭＳ２の電話番号を入力する。制御部１０は、操作キー部４から入力された電話番号を要求情報検出部１２に与え要求情報登録部１２ａに撮影要求情報として登録させる。
【００３８】
また、ユーザは、たとえばテンキーを操作することにより特定の文字を入力する。この特定の文字は、ＤＴＭＦ音に予め対応付けられている。制御部１０は、操作キー部４から入力された文字に対応するＤＴＭＦ音を要求情報検出部１２に与え、要求情報登録部１２ａに画像送信要求情報として登録させる。この様にして、撮影要求情報及び画像送信要求情報をカメラ付携帯電話機ＭＳ１に登録させることができる。
【００３９】
メモリ部１３は、制御部１０で実行される動作プログラムを格納する機能の他、データを一時的に保持するワークエリアとしての機能、及び、カメラ部８で撮影された画像を保持する画像保存エリア１３ａを有する。制御部１０は、カメラ部８にて撮影された画像信号をメモリ部１３に与え、画像保存エリア１３ａに画像ファイルとして記憶させたり、画像保存エリア１３ａに記憶されている画像ファイルを読み出したりする。
【００４０】
図４は、携帯電話機ＭＳ２、携帯電話ネットワークＮＷ及びカメラ付携帯電話機ＭＳ１の間で実行される遠隔監視動作を説明するための信号シーケンスである。遠隔監視を実施するためには、ユーザは監視準備作業を実施する必要がある。
すなわち、ユーザは、カメラ部８を撮影対象に向けた状態でカメラ付携帯電話機ＭＳ１を固定し電源をオンにしておく。この状態でユーザは携帯電話機ＭＳ２を持って外出するものとする。
【００４１】
ユーザは、撮影対象を離れた場所から監視する場合、携帯している携帯電話機ＭＳ２からカメラ付携帯電話機ＭＳ１に電話を掛ける。このとき、携帯電話機ＭＳ２は、通信相手であるカメラ付携帯電話機ＭＳ１の電話番号を含む回線接続要求信号を携帯通信ネットワークＮＷに送信する（Ｓ１）。携帯通信ネットワークＮＷは、ＨＬＲの記憶内容を参照することにより通信相手のカメラ付携帯電話機ＭＳ１の地理的位置を特定し、上記通信相手先の電話番号を含むページング信号を送信する（Ｓ２）。
【００４２】
通信相手のカメラ付携帯電話機ＭＳ１は、上記ページング信号を受信し自機宛であると検出すると、通信可能であることを示す応答信号を携帯通信ネットワークＮＷに返信する（Ｓ３）。携帯通信ネットワークＮＷは、応答信号を受信すると、発信元の携帯電話機ＭＳ２及び発信先のカメラ付携帯電話機ＭＳ１との間で種々の制御信号を送受信し（Ｓ４）、携帯電話機ＭＳ２及びカメラ付携帯電話機ＭＳ１間の通信チャネルを確立する。こうして、携帯電話機ＭＳ２及びカメラ付携帯電話機ＭＳ１間の通信が開始される。
【００４３】
携帯通信ネットワークＮＷとカメラ付携帯電話機ＭＳ１間で送受信される制御信号の中には、発信元の携帯電話機ＭＳ２の電話番号を含む制御信号が含まれている。つまり、カメラ付携帯電話機ＭＳ１は、通信チャネル確立前に受信される制御信号により発信元の電話番号を得ることができる。
【００４４】
カメラ付携帯電話機ＭＳ１の要求情報検出部１２は、通信が開始されると、その通信中継続して、無線通信部１１で受信された信号の中から要求情報を検出する検出処理を実行する。具体的には、要求情報検出部１２は、まず、撮影要求情報検出処理を実行する（Ｓ５）。
【００４５】
具体的には、要求情報検出部１２は、無線通信部１１で受信された信号の中から電話番号を抽出する。その後、要求情報検出部１２は、この抽出された電話番号が要求情報登録部１２ａに登録されているか否かを判別する。上記抽出された電話番号が要求情報登録部１２ａに登録されていれば、要求情報検出部１２は、撮影開始信号を制御部１０に与える。
【００４６】
制御部１０は、上記検出信号を受信すると、カメラ部８に対して撮影命令を与える。これに応答して、カメラ部８は撮影を開始する（Ｓ６）。カメラ部８は撮影された画像信号を制御部１０に与える。制御部１０は、この画像信号をメモリ部１３に与え、画像保存エリア１３ａに保存させる（Ｓ７）。
【００４７】
一方、上記Ｓ５における撮影要求情報検出処理の結果、電話番号が登録されていなければ、要求情報検出部１２は、画像送信要求情報検出処理を実行する（Ｓ８）。具体的には、要求情報検出部１２は、無線通信部１１で受信された信号の中からＤＴＭＦ音情報を抽出する。その後、要求情報検出部１２は、抽出されたＤＴＭＦ音情報が要求情報登録部１２ａに登録されているか否かを判別する。ＤＴＭＦ音情報が存在しない、或いは、登録されていなければ、画像送信は要求されていないと考えられるため、要求情報検出部１２はＳ５の処理に戻る。
【００４８】
また、通信中において、ユーザは撮影した画像を携帯電話機ＭＳ２で確認する場合、操作キー部４を操作し画像送信を要求する。具体的には、ユーザは、カメラ付携帯電話機ＭＳ１に予め登録しておいたＤＴＭＦ音に対応するキーを押圧する。これに応答して、携帯電話機ＭＳ２は、上記押圧されたキーに対応するＤＴＭＦ音情報を含む信号を携帯通信ネットワークＮＷを介してカメラ付携帯電話機ＭＳ１に送信する（Ｓ９）。
【００４９】
上記Ｓ８の処理の結果、ＤＴＭＦ音情報が登録されていると判別されると、画像送信が要求されていると考えられるので、要求情報検出部１２は、画像送信要求信号を制御部１０に与える。制御部１０は、この画像送信要求信号が与えられると、画像送信処理を実行する（Ｓ１０）。具体的には、制御部１０は、メモリ部１３の画像保存エリア１３ａからそれまでに撮影された画像信号を抽出し、この画像信号を無線通信部１１に与える。その結果、画像信号は携帯通信ネットワークＮＷを介して携帯電話機ＭＳ２に送信される（Ｓ１１）。携帯電話機ＭＳ２は、画像信号を受信するとこの画像信号に対応する画像を表示部３に表示させる（Ｓ１２）。こうして、携帯通信システムを利用した遠隔監視を実現することができる。
【００５０】
なお、画像送信は、たとえば電子メールに画像ファイルを添付してパケットデータを作成し、このパケットデータを使って実現することが考えられる。つまり、制御部１０は、メモリ部１３から画像ファイルを読み出すと、携帯電話機ＭＳ２のメールアドレスを宛先アドレスとする電子メールを作成し、当該電子メールに画像ファイルを添付する。制御部１０は、このようにして作成された画像ファイルを添付した電子メールを無線通信部１１に与え、無線通信部１１から携帯通信ネットワークＮＷを介して携帯電話機ＭＳ２に送信する。携帯電話機ＭＳ２のメールアドレスは、たとえば、メモリ部１３に予め登録しておくことが考えられる。
【００５１】
以上のように、この実施の形態１によれば、携帯可能なカメラ付携帯電話機ＭＳ１を使って画像を撮影するので撮影対象を極めて容易に変更でき、また、携帯可能な携帯電話機ＭＳ２でその撮影された画像を見ることができるので、極めて安価にリアルタイム性を持った遠隔監視を実現することができる。
【００５２】
また、カメラ付携帯電話機ＭＳ１に電話を掛けて所定のキーを操作するだけで遠隔監視を実現することができるので、ユーザにとっては極めて容易に遠隔監視を実現することができる。そのため、ビルや店舗だけでなく一般家庭でも容易に遠隔監視を導入できるので、空き巣等の犯罪を防止したり、家で留守番をしている子供やお年寄りの状態を外出先から見ることができる。
【００５３】
実施の形態２．
図５は、この発明の実施の形態２に係る携帯電話機ＭＳ２、携帯通信ネットワークＮＷ及びカメラ付携帯電話機ＭＳ１間の信号シーケンスである。
【００５４】
上記実施の形態１では、カメラ付携帯電話機ＭＳ１で撮影された画像を携帯電話機ＭＳ２で表示させる場合、携帯電話機ＭＳ２から画像送信要求信号を携帯通信ネットワークＮＷを介してカメラ付携帯電話機ＭＳ１に送信する必要がある。これに対して、この実施の形態２では、携帯電話機ＭＳ２から画像送信要求信号をカメラ付携帯電話機ＭＳ１に送信しなくても撮影要求信号を送信するだけでカメラ付携帯電話機ＭＳ１から画像を自動的に携帯電話機ＭＳ２に送信させるようにしている。
【００５５】
より詳述すれば、この実施の形態２において、カメラ付携帯電話機ＭＳ１が撮影要求を受けてカメラ部８により撮影された画像を保存するまでの処理（Ｔ１〜Ｔ７）は上記実施の形態１と同様であるので、その説明を省略する。なお、この場合、撮影される画像は静止画像を想定している。
【００５６】
カメラ付携帯電話機ＭＳ１は、上記画像ファイルをいったんメモリ部１３に保存すると、これに応答して画像送信処理を実行する（Ｔ８）。具体的には、制御部１０は、この保存された画像ファイルをメモリ部１３から読み出し、当該画像ファイルを携帯通信ネットワークＮＷを介して携帯電話機ＭＳ２に送信する（Ｔ９）。すなわち、上記実施の形態１のように画像送信要求情報を検出することを条件とせずに、画像が撮影されるたびに自動的に画像を送信する。携帯電話機ＭＳ２は、この送信された画像を表示部３に表示させる（Ｔ１０）。
【００５７】
以上のように、この実施の形態２によれば、携帯電話機ＭＳ２から画像送信要求情報を含む信号を送信しなくても携帯電話機ＭＳ２において画像を表示させることができるので、携帯電話機ＭＳ２のユーザの作業を簡素化することができる。
【００５８】
なお、上記説明では、カメラ部８で撮影される画像として静止画像を例にとっている。しかし、たとえばカメラ部８で撮影される画像としては動画像を採用することもできる。カメラ部８で動画像を撮影する場合における画像送信のタイミング条件は、たとえば、所定時間にわたって撮影された動画像を１つの画像ファイルとし、この画像ファイルがメモリ部１３に保存される。つまり、所定時間にわたって動画像が撮影されるたびに動画像を携帯電話機ＭＳ２に自動的に送信する。
【００５９】
また、カメラ部８において動画像を撮影する場合、動画像を画像ファイルとして携帯電話機ＭＳ２に送信するのではなく、たとえばストリーミング技術を用いることにより、携帯電話機ＭＳ２においてリアルタイムで動画像を再生できるようにしてもよい。この場合における「画像が撮影されるたびに」とは、動画像を撮影している一瞬のタイミングと考えることができる。
【００６０】
実施の形態３．
図６は、この発明の実施の形態３に係るカメラ付携帯電話機ＭＳ１の要求情報検出処理を説明するためのフローチャートである。
【００６１】
上記実施の形態１では、撮影要求情報として発信元電話番号を採用し、画像送信要求信号としてＤＴＭＦ音を採用する場合を例にとっている。これに対し、この実施の形態３では、撮影要求情報として発信元電話番号を採用し、画像送信要求信号として特定の音声情報を採用する場合を例にとっている。
【００６２】
より詳述すれば、カメラ付携帯電話機ＭＳ１の要求情報検出部１２は、まず、撮影要求情報検出処理を実行する。具体的には、要求情報検出部１２は、無線通信部１１で受信された信号の中から発信元の電話番号を抽出し、要求情報登録部１２ａの登録内容を参照することにより、この抽出された発信元電話番号が登録されているか否かを判別する（Ｕ１）。登録されていれば、要求情報検出部１２は、撮影要求信号を制御部１０に与える。その結果、制御部１０は、カメラ部８に画像撮影を命令するとともに、カメラ部８にて撮影された画像信号をメモリ部１３に与え画像保存エリア１３ａに保存させる（Ｕ２、Ｕ３）。
【００６３】
一方、上記Ｕ１の処理の結果、発信元電話番号がない、又は、発信元電話番号が登録されていなければ、要求情報検出部１２は、次に、画像送信要求情報検出処理を実行する（Ｕ４）。具体的には、要求情報検出部１２は、無線通信部１１で受信された信号の中から音声情報を抽出する。この場合、要求情報検出部１２は、通話信号中の音声情報を音声認識処理により特定する。そして、要求情報検出部１２は、要求情報登録部１２ａの登録内容を参照することにより、上記抽出された音声情報が登録されているか否かを判別する。抽出された音声情報が登録されていなければ、画像送信の要求はないと考えられるため、要求情報検出部１２はＵ１の処理に戻る。
【００６４】
また、通信中において、ユーザは撮影した画像を携帯電話機ＭＳ２で確認する場合、音声により画像送信を要求する。具体的には、ユーザは、カメラ付携帯電話機ＭＳ１に予め登録しておいた音声を携帯電話機ＭＳ２に対し発する。これにより、携帯電話機ＭＳ２は、この音声情報を含む信号を携帯通信ネットワークＮＷを介してカメラ付携帯電話機ＭＳ１に送信する。
【００６５】
抽出された音声情報が登録されていれば、画像送信を要求していると考えることができるので、要求情報検出部１２は、画像送信要求信号を制御部１０に与える。これに応答して、制御部１０は、画像送信処理を実行する（Ｕ５）。具体的には、制御部１０は、メモリ部１３にアクセスし画像保存エリア１３ａに保存されている画像信号を読み出し、無線通信部１１に与える。これにより、カメラ部８にて撮影された画像信号を携帯電話機ＭＳ２に送信することができる。
【００６６】
なお、画像送信要求情報として登録すべき音声情報としては、画像保存エリア１３ａに保存されたままの画像信号を誤って送信しないようにするため、通常の会話であまり使用されない音声情報を採用する方が好ましい。
【００６７】
以上のように、この実施の形態によれば、音声を使って画像送信を要求できるので、ＤＴＭＦ音を用いる場合よりも簡単に画像受信を実現することができる。
【００６８】
実施の形態４．
図７は、この発明の実施の形態４に係る携帯電話機ＭＳ２、携帯通信ネットワークＮＷ及びカメラ付携帯電話機ＭＳ１間の信号シーケンスである。
【００６９】
上記実施の形態１乃至３では、撮影要求情報として電話番号を採用し、画像送信要求情報としてＤＴＭＦ音又は音声情報を採用している。つまり、通信回線を占有する通信形態における遠隔監視方法を例にとっている。これに対し、この実施の形態４では、通信回線を他の無線通信装置と共有する通信形態における遠隔監視方法を例にとっており、撮影要求情報及び画像送信要求情報の送信に電子メールを利用する。
【００７０】
より詳述すれば、この実施の形態４では、カメラ付携帯電話機ＭＳ１の要求情報登録部１２ａには、撮影要求情報として携帯電話機ＭＳ２の電子メールアドレスが登録されており、また画像送信要求情報として特定の電子メールのサブジェクト（タイトル）が登録されている。
【００７１】
ユーザは、カメラ付携帯電話機ＭＳ１に画像撮影を要求する場合、操作キー部４を操作してカメラ付携帯電話機ＭＳ１の電子メールアドレスを宛先アドレスとした電子メールを作成し送信する。この場合、ユーザは、たとえばサブジェクト及び本文のいずれも入力せずに電子メールを携帯電話機ＭＳ２から送信させる（Ｖ１）。
【００７２】
携帯通信ネットワークＮＷは、上記電子メールを受信すると、宛先アドレスに基づいて当該電子メールをカメラ付携帯電話機ＭＳ１に転送する（Ｖ２）。このとき、携帯通信ネットワークＮＷは、電子メールの受信案内ではなく電子メールの内容そのものをカメラ付携帯電話機ＭＳ１に転送する。
【００７３】
カメラ付携帯電話機ＭＳ１の要求情報検出部１２は、上記電子メールを受信すると、まず、撮影要求情報検出処理を実行する（Ｖ３）。具体的には、要求情報検出部１２は、上記電子メールの発信元電子メールアドレスを抽出し、要求情報登録部１２ａの登録内容を参照することにより、上記抽出された電子メールアドレスが登録されているか否かを判別する。
【００７４】
登録されていれば、要求情報検出部１２は、次に、画像送信要求情報検出処理を実行する（Ｖ４）。同じ発信元の電子メールアドレスの電子メールは、そのサブジェクトにより画像送信を要求する電子メールである可能性がある。そのため、要求情報検出部１２は、電子メールアドレスが登録されていても直ちに撮影要求であると判断せずに、撮影が要求されているのか画像送信が要求されているのかを特定する。
【００７５】
具体的には、要求情報検出部１２は、電子メールからサブジェクトを抽出し、要求情報登録部１２ａの登録内容を参照することにより、上記抽出されたサブジェクトが登録されているか否かを判別する。サブジェクトが登録されていない、又は、サブジェクトが存在しない場合には、画像の撮影要求であると考えられるので、要求情報検出部１２は、撮影要求信号を制御部１０に与える。
【００７６】
これに応答して、制御部１０は、カメラ部８に対して撮影命令を与える。この撮影命令に従って、カメラ部８は撮影対象の撮影を開始する（Ｖ５）。カメラ部８は、撮影した画像信号を制御部１０に与える。制御部１０は、この画像信号をメモリ部１３に与え、画像ファイルとして画像保存エリア１３ａに保存させる（Ｖ６）。
【００７７】
ところで、ユーザは、カメラ付携帯電話機ＭＳ１で撮影された画像送信を要求する場合、操作キー部４を操作し、再び、カメラ付携帯電話機ＭＳ１に対して電子メールを送信する。この場合、ユーザは、カメラ付携帯電話機ＭＳ１に登録されているサブジェクトを電子メールのサブジェクトとして入力する。
【００７８】
このようにして作成され送信される電子メールは、発信元電子メールアドレスが上記撮影要求時と同じであるため、上記Ｖ３の処理において肯定の判別結果となる。そこで、要求情報検出部１２は、電子メールからサブジェクトを抽出し、要求情報登録部１２ａの登録内容を参照することにより、上記抽出されたサブジェクトが登録されているか否かを判別する（Ｖ４）。これも登録されていれば、画像送信の要求であると考えられるので、要求情報検出部１２は、画像送信要求信号を制御部１０に与える。
【００７９】
これに応答して、制御部１０は、画像送信処理を実行する（Ｖ７）。具体的には、制御部１０は、メモリ部１３にアクセスし画像保存エリア１３ａに保存されている画像信号を読み出し、無線通信部１１に与える。こうして、カメラ部８にて撮影された画像信号は携帯通信ネットワークＮＷを介して携帯電話機ＭＳ２に送信される（Ｖ８）。携帯電話機ＭＳ２は、この画像信号に対応する画像を表示部３に表示させる（Ｖ９）。
【００８０】
以上のように、この実施の形態４によれば、電子メールを使って撮影要求及び画像送信要求を実現できるので、たとえば会話のできない場所からでも遠隔監視を実現することができる。また、聾唖者なども遠隔監視を実現することができる。
【００８１】
なお、上記説明では、電子メールアドレスが登録されていなければ画像送信を要求できない構成を例にとっているが、たとえば電子メールアドレスが登録されていない携帯電話機を画像送信要求専用の携帯電話機としてもよい。この場合、図７における処理は次のように変更される。
【００８２】
電子メールアドレスが登録されている場合（Ｖ３のＹＥＳ）、撮影要求であると考えられるから、要求情報検出部１２は、Ｖ４のサブジェクトが登録されているか否かの判別処理を行わずに、画像撮影（Ｖ５）及び画像保存（Ｖ６）処理に移行した後、サブジェクトが登録されているか否かの判別を実行する。また、電子メールアドレスが登録されていない場合、撮影要求であることはないので画像送信要求であるか否かを確認すべく、要求情報検出部１２は、サブジェクトが登録されているか否かの判別に直接移行する。このように、画像送信要求専用の携帯電話機を用いる場合であっても、撮影要求及び画像送信要求を実現することができる。
【００８３】
実施の形態５．
図８は、この発明の実施の形態７に係るカメラ付携帯電話機ＭＳ１の要求情報検出処理を説明するためのフローチャートである。
【００８４】
上記実施の形態４では、画像送信要求情報として電子メールのサブジェクトを例にとっている。これに対し、この実施の形態５では、画像送信要求情報として電子メールの本文に含まれる文字列を例にとる場合を示している。
【００８５】
より詳述すれば、カメラ付携帯電話機ＭＳ１の要求情報検出部１２は、無線通信部１１にて電子メールが受信された場合、この電子メールから発信元の電子メールアドレスを抽出し、要求情報登録部１２ａの登録内容を参照することにより、この抽出された発信元の電子メールアドレスが登録されているか否かを判別する（Ｗ１）。登録されていれば、要求情報検出部１２は、さらに、電子メールの本文を抽出し、要求情報登録部１２ａの登録内容を参照することにより、上記本文中の文字列が登録されているか否かを判別する（Ｗ２）。
【００８６】
登録されていなければ、撮影要求であると考えられるから、要求情報検出部１２は、撮影要求信号を制御部１０に与える。その結果、カメラ部８による画像撮影が行われ（Ｗ３）、その撮影された画像は画像ファイルとしてメモリ部１３の画像保存エリア１３ａに保存される（Ｗ４）。一方、登録されていれば、画像送信要求であると考えられるから、要求情報検出部１２は、画像送信要求信号を制御部１０に与える。その結果、制御部１０は、画像送信処理を実行する（Ｗ５）。
【００８７】
以上のように、この実施の形態５によっても、実施の形態４と同様に、電子メールを使って撮影要求及び画像送信要求を実現することができるので、たとえば会話のできない場所からでも遠隔監視を実現することができる。
【００８８】
この発明の実施の形態の説明は、以上のとおりであるが、この発明は上述の実施の形態に限定されるものでない。たとえば上記実施の形態では、カメラ付携帯電話機ＭＳ１及び携帯電話機ＭＳ２を使って遠隔監視を実現している。しかし、たとえば画像を撮影するカメラ付無線通信装置としてはカメラを有する携帯可能な無線通信装置であればよい。たとえば通話機能のないＰＤＡなどの携帯可能な無線通信装置をカメラ付無線通信装置（ＭＳ１）又は無線通信装置（ＭＳ２）として採用することが出来る。
【００８９】
また、上記実施の形態では、カメラ付携帯電話機ＭＳ１で撮影された画像を携帯電話機ＭＳ２に送信する場合を例にとっている。しかし、たとえば、カメラ付携帯電話機ＭＳ１に画像撮影を要求した後カメラ付携帯電話機ＭＳ１から画像を送信させずに、カメラ付携帯電話機ＭＳ１に保存されている画像をカメラ付携帯電話機ＭＳ２の表示部３に表示させるようにしてもよい。つまり、上記実施の形態のように比較的リアルタイムに画像を見ることが出来る場合だけでなく、後からカメラ付携帯電話機ＭＳ１で画像を見ることができるようにしてもよい。この構成によっても、たとえば不在時における撮影対象の状況を後から見ることができるので、監視システムとして機能することは言うまでもない。
【００９０】
【発明の効果】
この発明によれば、携帯可能なカメラ付無線通信装置に無線通信装置から画像撮影を要求しその画像を保存させることができるので、撮影対象を極めて容易に変更でき、安価に遠隔監視を実現することができる。また、撮影された画像を携帯可能な無線通信装置に送信して表示する場合には、所望の場所で撮影対象の画像を見ることができるので、安価な遠隔監視を実現できることはもちろん、リアルタイムな遠隔監視も実現することができる。
【図面の簡単な説明】
【図１】この発明の実施の形態１に係る遠隔監視システムの全体構成を示す概念図である。
【図２】カメラ付携帯電話機の外観構成を示す概念図である。
【図３】カメラ付携帯電話機の内部構成を示すブロック図である。
【図４】携帯電話機ＭＳ２、携帯通信ネットワークＮＷ及びカメラ付携帯電話機ＭＳ１間の信号シーケンスである。
【図５】この発明の実施の形態２に係る携帯電話機ＭＳ２、携帯通信ネットワークＮＷ及びカメラ付携帯電話機ＭＳ１間の信号シーケンスである。
【図６】この発明の実施の形態３に係るカメラ付携帯電話機の要求情報検出処理を説明するためのフローチャートである。
【図７】この発明の実施の形態４に係る携帯電話機ＭＳ２、携帯通信ネットワークＮＷ及びカメラ付携帯電話機ＭＳ１間の信号シーケンスである。
【図８】この発明の実施の形態５に係るカメラ付携帯電話機の要求情報検出処理を説明するためのフローチャートである。
【符号の説明】
ＭＳ１　カメラ付携帯電話機、ＭＳ２　携帯電話機、３　表示部、
８　カメラ部、１０　制御部、１２　要求情報検出部、
１２ａ　要求情報登録部、１３　メモリ部、１３ａ　画像保存エリア
【図１】
2004040402.tif 000003
【図２】
2004040402.tif 000004
【図３】
2004040402.tif 000005
【図４】
2004040402.tif 000006
【図５】
2004040402.tif 000007
【図６】
2004040402.tif 000008
【図７】
2004040402.tif 000009
【図８】
2004040402.tif 000010